(57)【要約】【課題】把持孔を閉鎖することによって運搬容器内に満載された収容物の荷こぼれを防止することができるように構成された運搬容器用グリップカバーを容易に容器本体へ装着及び取外すことができる運搬容器を提供する。【解決手段】弾性変形可能な合成樹脂により長四角板状に形成されたグリップカバー１５は、容器本体１１の短側壁１３内側面に設けられた添着凹部２７に添着することにより、把持孔２６の内側部を開閉可能に閉鎖している。グリップカバー１５の下部には肉厚に形成された支持部５１が設けられ、その一側面には、短側壁１３の内側面に対して着脱可能に嵌合される一対の嵌合突部５２が突設されている。添着凹部２７の下端部に一対の嵌合孔２８が貫設され、嵌合突部５２が嵌合孔２８内に着脱可能に嵌合固定されるようになっている。【選択図】図１
2010070264.tif 000002
【特許請求の範囲】
【請求項１】
底壁と、その底壁の周縁に沿って立設され、少なくとも対向する一対の把持孔を有する側壁とから構成される合成樹脂製の容器本体と、前記把持孔を有する側壁に配設されて前記把持孔を開閉可能にする合成樹脂製のグリップカバーとを備える運搬容器であって、
前記グリップカバーは、前記側壁の内側面と面一又はその内側面よりも外側方に位置するように前記側壁の内側面に着脱可能に配設されることを特徴とする運搬容器。
【発明の詳細な説明】
【技術分野】
【０００１】
この発明は、運搬容器の側壁に貫設された把持孔を開閉可能に閉鎖するように構成された運搬容器用グリップカバーを備える運搬容器に関するものである。より詳しくは、前記把持孔を閉鎖することによって運搬容器内に満載された収容物の荷こぼれを防止することができるように構成された運搬容器用グリップカバーを容易に容器本体へ装着及び取外すことができる運搬容器に関するものである。
【背景技術】
【０００２】
従来より、運搬容器の側壁に貫設された把持孔から収容物が荷こぼれするのを防止するために、把持孔よりもやや大きく形成された平板状の合成樹脂板が便宜的に把持孔の内側部に添着して使用されていた。この合成樹脂板は、その下端部が把持孔の下方に位置する側壁の内側面に溶着されていたことから、その中央部から上端部が把持孔の内側部（開口部）を開閉可能に閉鎖することができるように構成されている。
【０００３】
そして、この運搬容器内に収容物を満載したときには、前記合成樹脂板によって把持孔の開口部が閉鎖されていることから、前記収容物は把持孔を通って運搬容器の外部に落下して荷こぼれするのが防止されている。また、前記把持孔を把持して運搬容器を運搬する際には、把持孔の外方から内方に向かって斜め上方に指を挿入することによって、指の先端部が前記合成樹脂板を運搬容器の内方に押圧し、その中央部から上部が弾性変形を引き起こす。その結果、前記把持孔の上部が開口され、指を挿入するための隙間が形成される。
【発明の概要】
【発明が解決しようとする課題】
【０００４】
ところが、前記従来の合成樹脂板は、容器本体への装着及び取外しを容易に行うことができなかった。
この発明は、上記のような従来技術に存在する問題点に着目してなされたものである。その目的とするところは、収容物が把持孔から荷こぼれするのを防止することができるように構成された運搬容器用グリップカバーを容器本体へ容易に装着及び取外すことができるように構成した運搬容器を提供することにある。
【課題を解決するための手段】
【０００５】
上記の目的を達成するために、請求項１に記載の発明の運搬容器は、底壁と、その底壁の周縁に沿って立設され、少なくとも対向する一対の把持孔を有する側壁とから構成される合成樹脂製の容器本体と、前記把持孔を有する側壁に配設されて前記把持孔を開閉可能にする合成樹脂製のグリップカバーとを備える運搬容器であって、前記グリップカバーは、前記側壁の内側面と面一又はその内側面よりも外側方に位置するように前記側壁の内側面に着脱可能に配設されることを特徴とするものである。
【発明の効果】
【０００６】
本願発明の運搬容器によれば、グリップカバーの装着及び取外しを容易に行うことができるとともに、収容物の挿入及び取出し時に収容物がグリップカバーに引っ掛かることなく、収容物の挿入及び取出しを容易に行うことができる。
【図面の簡単な説明】
【０００７】
【図１】（ａ）は実施形態のグリップカバーを示す斜視図、（ｂ）は実施形態のグリップカバーを折り畳み式運搬容器に装着した状態を示す正断面図。
【図２】（ａ）は実施形態の折り畳み式運搬容器を示す平面図、（ｂ）は同じく一部を破断した折り畳み式運搬容器を示す正面図。
【図３】実施形態の一部を破断した折り畳み式運搬容器を示す側面図。
【図４】実施形態の折り畳み式運搬容器を示す部分拡大正断面図。
【図５】（ａ）は実施形態の一部を破断した折り畳み式運搬容器を示す部分拡大側面図、（ｂ）は同じく部分拡大断面図。
【図６】（ａ）は実施形態の折り畳んだ状態の折り畳み式運搬容器を示す平面図、（ｂ）は同じく側面図。
【発明を実施するための形態】
【０００８】
以下、この発明を具体化した実施形態を図面に基づいて詳細に説明する。
図２（ａ）、（ｂ）及び図３に示すように、本実施形態の運搬容器としての折り畳み式運搬容器を構成する容器本体１１は、合成樹脂により有底長四角箱状に形成されている。この容器本体１１は、長四角板状に形成された底壁１２と、その底壁１２の対向する一側縁に沿って立設された一対の短側壁１３と、前記底壁１２の対向する他側縁に沿って立設された一対の長側壁１４とを備えている。さらに、この折り畳み式運搬容器は、前記容器本体１１の対向する一対の短側壁１３の内側面に脱着可能に装着される一対のグリップカバー１５を備えている。この折り畳み式運搬容器の容器本体１１は、一対の短側壁１３を底壁１２の上面に折り畳んだ後、一対の長側壁１４を短側壁１３の上面に折り畳むことによって、折り畳み可能に構成されている。
【０００９】
図２（ｂ）に示すように、底壁１２の対向する一側縁には、ほぼ四角柱状に形成された支持突条２１ａが容器本体１１のコーナ部間を繋ぐように立設され、その上端面で短側壁１３を支持している。また、底壁１２の対向する他側縁には、ほぼ長四角柱状に形成された支持突条２１ｂが容器本体１１のコーナ部間を繋ぐように立設され、その上端面で長側壁１４を支持している。図６（ｂ）に示すように、前記支持突条２１ａは短側壁１３の厚みとほぼ同じ高さに形成されており、支持突条２１ｂは短側壁１３の厚みと長側壁１４の厚みとを加えた長さとほぼ同じ高さに形成されている。
【００１０】
図２（ｂ）、図４及び図６（ａ）に示すように、各支持突条２１ａ，２１ｂの上端部内方位置には、所定間隔をおいて回動手段を構成する軸受け部２２が設けられ、短側壁１３及び長側壁１４の下端部内方位置に設けられた回動手段を構成する回動軸２３を回動可能に軸着している。この構成によって、各短側壁１３及び長側壁１４は、容器本体１１の内方に回動することができるとともに、容器本体１１の外方に回動され難くなっている。
【００１１】
図４に示すように、前記支持突条２１ａの上端部外方位置には、支持突条２１ａの外側面に沿って付勢突条２４が上方に延びるように突設され、短側壁１３の下端面を僅かに上方に押圧付勢している。また、図３に示すように、前記支持突条２１ａの外側部には、長四角形状に凹設された一対の収容凹部２５が設けられている。
【００１２】
一方、短側壁１３の中央部には、容器本体１１を運搬する際に指で把持するための把持孔２６が長四角孔状に貫設されている。図１（ｂ）に示すように、この把持孔２６の上端部に設けられた指掛け部２６ａの内端部は、指を掛けたときに痛みを感じ難くするために滑らかな曲面形状に面取りされている。また、この把持孔２６の周囲に位置する短側壁１３の内側面は、長四角形状に凹設された添設用凹部としての添着凹部２７となっている。さらに、この添着凹部２７の下端部には、四角孔状に形成された左右一対の嵌合孔２８が貫設されている。
【００１３】
図５（ａ）に示すように、短側壁１３の両端部には、その外側部上方位置を長四角形状に凹設することによって係合凹部３１が設けられている。この係合凹部３１の下部及び中央部には、側面ほぼコ字状に形成された規制手段を構成する規制凸部３２が短側壁１３の外側方に延びるように突設されている。図５（ａ）及び（ｂ）に示すように、これら規制凸部３２の上方には、平断面逆Ｌ字状に形成された係合突起３３が突設されている。この係合突起３３の基端部３３ａは短側壁１３の外側方に延びるように設けられ、先端部３３ｂは長側壁１４の外側方に延びるように設けられている。
【００１４】
図３に示すように、長側壁１４の両端部には、長四角板状に形成された規制板４１が長側壁１４の内側方に延びるように突設され、前記短側壁１３の係合凹部３１内に収容されるようになっている。この規制板４１の裏面（内側面）は前記規制凸部３２の先端部と当接可能に構成されており、容器本体１１を組み立てたとき、短側壁１３が容器本体１１の外方に回動するのを規制することができるようになっている。また、容器本体１１を折り畳んだとき、これら規制板４１は、前記支持突条２１ａの収容凹部２５内に収容されるようになっている。
【００１５】
図５（ａ）に示すように、規制板４１の下端部から中央部にかけての裏面（内側面）には、その端縁に沿って規制手段を構成する規制突部４２が短側壁１３の内側方に延びるように突設されている。この規制突部４２は、前記短側壁１３の規制凸部３２と当接可能に構成され、容器本体１１を組み立てたとき、長側壁１４が容器本体１１の外方に回動するのを規制することができるようになっている。そして、これら規制凸部３２及び規制突部４２によって規制手段が構成されている。
【００１６】
図２（ｂ）に示すように、長側壁１４の両端部には、容器本体１１を組み立てたとき前記短側壁１３の係合突起３３と対応する位置に、長四角柱状に形成された押圧片４３が設けられている。この押圧片４３の三方の周縁部には切欠き４４が形成されており、押圧片４３を長側壁１４の外側方から内側方に向かって押圧することができるように構成されている。そして、図５（ａ）及び（ｂ）に二点鎖線で示すように、外側方から押圧された押圧片４３の内側面によって、短側壁１３に設けられた係合突起３３の先端部３３ｂが内方に押圧されるようになっている。
【００１７】
前記押圧片４３の上下に位置する長側壁１４の内側面には、ほぼ四角柱状に形成された上下一対の係合突部４５が長側壁１４の内側方に延びるように突設されている。さらに、長側壁１４の中央寄りに設けられた係合突部４５の一側面は、長側壁１４の中央側ほど低くなるテーパ形状に形成されたテーパ面４５ａとなっており、前記係合突起３３の先端部３３ｂ（外側面）を滑らかにスライドさせることができるようになっている。また、前記係合突部４５のテーパ面４５ａと対向する側面は、容器本体１１を組み立てたとき、前記係合突起３３の先端部３３ｂ（内側面）を係合固定することができるように構成された係合面４５ｂとなっている。
【００１８】
一方、図１（ａ）に示すように、グリップカバー１５は、弾性変形可能な合成樹脂（超低密度ポリエチレン、ポリプロピレン、エチレン酢酸ビニル共重合体、α―オレフィン系エラストマー又はポリ塩化ビニル）によりほぼ長四角板状に形成されている。このグリップカバー１５の下部には、その中央部から上端部にかけてのグリップカバー１５よりも肉厚に形成された支持部５１が設けられ、前記短側壁１３の内側面に設けられた添着凹部２７の下端部に添着支持されるように構成されている。なお、前記グリップカバー１５中央部の肉厚は１ｍｍ程度であるのが好ましく、このとき、グリップカバー１５が適度に弾性変形して把持孔２６内に指を挿入しやすくすることができる。
【００１９】
この支持部５１の一側面には、ほぼ四角板状に形成された２枚の嵌合板５２ａを備えた左右一対の嵌合突部５２が突設され、前記添着凹部２７下端部の嵌合孔２８内に着脱可能に嵌合固定されるようになっている。各嵌合突部５２を構成する嵌合板５２ａの先端部外側面には、前記嵌合孔２８の外側部と係合してグリップカバー１５を抜け止め係止するための係止突起５２ｂが三角柱状に突設されている。
【００２０】
このグリップカバー１５の中央部から上部にかけて、前記嵌合突部５２が設けられた同側面を長四角形状に膨出させることによってガイド突部５３が設けられている。このガイド突部５３は、グリップカバー１５を容器本体１１に装着したとき、前記把持孔２６の外方から内方に向かって斜め上方に指の挿入をガイドすることができるように構成されている。さらに、このガイド突部５３の膨出面（外側面）は、前記把持孔２６内に収容されるように形成されている。
【００２１】
なお、このガイド突部５３の突出幅は、把持孔２６内への指の挿入を容易に行うことができることから、３ｍｍ程度であるのが好ましい。また、このガイド突部５３の膨出面は、把持孔２６内への指の挿入をスムーズに行うことができることから、平滑に形成されているのが好ましい。
【００２２】
図１（ｂ）に示すように、このグリップカバー１５の上端部には、前記嵌合突部５２が設けられた同側面の上端縁に沿って指当て突条５４が突設されている。この指当て突条５４の先端部は全体に丸みを帯びた形状をしており、容器本体１１を運搬する際に指の表側（爪側）が当たってもあまり痛く感じないように構成されている。また、この指当て突条５４の先端部は、前記添着凹部２７の上端部と当接されるように構成されている。さらに、このグリップカバー１５の裏面（内側面）は、容器本体１１に装着されたとき、短側壁１３の内側面と面一又はその内側面よりも外側方に位置するように配設されている。
【００２３】
上記折り畳み式運搬容器の作用について以下に記載する。
さて、上記のように構成された折り畳み式運搬容器を折り畳む際には、まず、一方の短側壁１３の両側方に位置する押圧片４３を好ましくは同時に各長側壁１４の内側方に押圧する。すると、図５（ａ）及び（ｂ）に二点鎖線で示されるように、前記押圧された押圧片４３の内側面によって、係合突起３３の先端部３３ｂが長側壁１４の内側方に押圧される。その結果、係合突起３３の基端部３３ａに弾性変形が引き起こされ、係合突起３３の先端部３３ｂと係合突部４５の係合面４５ｂとの係合状態が解除される。
【００２４】
続いて、支持突条２１ａの上端部に設けられた付勢突条２４が短側壁１３の下端面を上方に押圧付勢している付勢力により、短側壁１３が容器本体１１の内方に回動される。なおこのとき、前記付勢突条２４による付勢力に加えて、前記一方の短側壁１３の上端部を補助的に指で内方に押圧して短側壁１３を回動させるようにするのが好ましい。そして、この回動された一方の短側壁１３は底壁１２の上面に折り畳まれる。
【００２５】
次に、上記と同様にして、他方の短側壁１３を底壁１２の上面に折り畳んだ後、一対の長側壁１４を前記折り畳まれた両短側壁１３の上面に折り畳むことによって、図６（ａ）及び（ｂ）に示されるように、容器本体１１が平板状に小さくコンパクトに折り畳まれる。このとき、図６（ｂ）に示されるように、長側壁１４の両端部に突設されている規制板４１は、支持突条２１ａの収容凹部２５内に収容され、折り畳まれた状態の長側壁１４の上端面を低い位置に配置させることができる。また、この折り畳み式運搬容器の容器本体１１は、折り畳まれた状態で上下に積み重ねることができる。
【００２６】
一方、上記折り畳まれた状態の折り畳み式運搬容器を組み立てて使用する際には、まず、図６（ａ）及び（ｂ）に示される一対の長側壁１４を、回動軸２３を中心に９０°回動させて支持突条２１ｂの上端面上に立設させた後、一対の短側壁１３を同様に回動させて支持突条２１ａの上端面上に立設させる。
【００２７】
このとき、図５（ｂ）に示されるように、短側壁１３の両端部に突設された係合突起３３の先端部３３ｂは、長側壁１４の内側面に突設された係合突部４５のテーパ面４５ａ上を滑らかにスライドしながら、係合突部４５を越えて規制板４１側に移動した後、係合突部４５の係合面４５ｂと係合固定される。その結果、これら短側壁１３は、容器本体１１内方への回動が規制された状態になる。
【００２８】
さらにこのとき、長側壁１４の規制板４１が短側壁１３の外側面を覆うように突設されていることから、短側壁１３の外方への回動が規制されている。従って、この組み立てられた状態の一対の短側壁１３は、容器本体１１の内方及び外方のいずれの方向にも回動規制され、支持突条２１ａの上端面上で垂直方向に立設固定されている。
【００２９】
また、一対の長側壁１４は、短側壁１３の両端部と当接された状態で配置されていることから、容器本体１１内方への回動が防止されている。さらに、図５（ａ）に示されるように、長側壁１４の規制板４１に設けられた規制突部４２が、短側壁１３の両端部に設けられた規制凸部３２と当接可能に構成されていることから、長側壁１４の容器本体１１外方への回動も規制されている。従って、この組み立てられた状態の一対の長側壁１４は、容器本体１１の内方及び外方のいずれの方向にも回動規制され、支持突条２１ｂの上端面上で垂直方向に立設固定されている。
【００３０】
この折り畳み式運搬容器の容器本体１１は、組み立てられた状態で上下に積み重ねることができるとともに、組み立てられた状態の容器本体１１の上下に、上記折り畳まれた状態の容器本体１１を積み重ねることもできる。
【００３１】
この組み立てられた状態の折り畳み式運搬容器の容器本体１１内に収容物を満載したときには、グリップカバー１５によって把持孔２６の内側部が閉鎖されていることから、把持孔２６を通って収容物が荷こぼれするのが防止されている。また、グリップカバー１５の内側面が短側壁１３の内側面よりも内側方に突出されていないことから、収容物の挿入及び取出し時にそれらが引掛けられることなく、収容物の挿入及び取出しを容易に行うことができる。
【００３２】
この組み立てられた状態の折り畳み式運搬容器を運搬する際には、まず、一対の短側壁１３の中央部に貫設された把持孔２６の外方から内方に向かって斜め上方に指を挿入させる。このとき、前記両把持孔２６内に挿入された指の先端部は、グリップカバー１５のガイド突部５３の膨出面を容器本体１１の内方へと押圧しながらその膨出面上を滑らかに斜め上方にスライドし、図１（ｂ）に二点鎖線で示されるようにグリップカバー１５を容器本体１１の内方に弾性変形させる。すると、前記把持孔２６の指掛け部２６ａとグリップカバー１５との間に、指が挿通される必要最小限の隙間が形成される。
【００３３】
続いて、前記隙間内に指を挿通させた状態で、両把持孔２６の指掛け部２６ａとその上方に位置する短側壁１３の壁面を手で把持することによって、容器本体１１を運搬することができる。このとき、前記把持孔２６を把持している指の中央部及び先端部は、グリップカバー１５の中央部による容器本体１１外方への付勢力によって、ガイド突部５３及び指当て突条５４の外側面と、指掛け部２６ａとの間で挟持押圧されている。前記の指と当接されている部分は、いずれも丸みを帯びた形状に形成されていることから、把持孔２６を把持する指にほとんど痛みを感じさせることがないうえ、指を傷付けることもない。
【００３４】
さらにこのとき、前記指掛け部２６ａとグリップカバー１５との間に形成された隙間が、指を挿通させるための必要最小限の広さであることから、容器本体１１内に満載されている収容物は、把持孔２６を通って容器本体１１の外部に荷こぼれすることがない。
【００３５】
上記実施形態によって発揮される効果について、以下に記載する。
・  このグリップカバー１５は、把持孔２６の下方に位置する短側壁１３の内側部に配設され、その把持孔２６の内側部（開口部）を開閉可能に閉鎖している。さらに、このグリップカバー１５には、前記把持孔２６の外方から内方に向かって斜め上方に指の挿入をガイドするためのガイド突部５３が設けられている。このため、容器本体１１内に満載された収容物が把持孔２６を通って外部に荷こぼれするのを防止することができる一方で、その把持孔２６内に指を容易に挿入することができる。さらに、このグリップカバー１５は、容器本体１１外部からのゴミの進入を効果的に防止することもできる。
【００３６】
また、このグリップカバー１５は、短側壁１３の内側面と面一又はその内側面よりも外側方に位置するように配設されている。このため、収容物を容器本体１１内に容易に挿入することができるとともに、容器本体１１内から容易に取り出すことができる。また、収容物が傷付けられるのを防止することもできる。
【００３７】
・  ガイド突部５３を、把持孔２６の外側方に膨出するように形成することによって、把持孔２６の外方から内方に向かって指を挿入したとき、その指をほぼ自動的に斜め上方に向かって滑らかに挿入させるようにガイドすることができる。このため、把持孔２６内に指をより一層容易に挿入させることができる。特に、ガイド突部５３の外側面上端部が円弧状に膨出するように形成されていることから、前記指の挿入をより一層的確に行わせることができる。
【００３８】
さらに、前記のように形成されたガイド突部５３の膨出面は、把持孔２６を把持する指の先端部表側（爪の基端部の皮膚）とグリップカバー１５の上端縁とが当接するのを防止することができるように構成されている。すなわち、把持孔２６を把持したとき、指の中央部によって前記膨出面が容器本体１１の内方に押圧され、図２（ｂ）に二点鎖線で示されるように、グリップカバー１５の上端縁が前記膨出面よりもより一層容器本体１１の内方に配置されるように構成されている。このため、前記グリップカバー１５の上端縁と指の先端部とが大きく離間した位置に配置されることから、前記指の先端部表側に痛みを感じさせることなく、容器本体１１を容易に運搬することができる。
【００３９】
・  グリップカバー１５の下端部に嵌合突部５２を設け、短側壁１３に貫設された嵌合孔２８内に脱着可能に嵌合させるように構成することによって、容器本体１１に対して、グリップカバー１５の装着及び取外しを容易に行うことができる。このため、容器本体１１にグリップカバー１５を装着して使用することができるとともに、グリップカバー１５を装着せずに容器本体１１を使用することができる。
【００４０】
例えば、容器本体１１内に収容される収容物が把持孔２６よりも大きい場合や、収容物を満載せずに容器本体１１の中央高さ程度まで収容する場合には、グリップカバー１５を装着せずに使用した方がより一層便利に使用することができるケースが多い。従って、このグリップカバー１５は、目的や用途に応じてその使用形態を選択することができるように構成されていることから大変便利である。
【００４１】
なお、本実施形態は、次のように変更して具体化することも可能である。
・  容器本体１１の底壁１２、短側壁１３及び長側壁１４の壁面に多数の孔を貫設することによってメッシュ状に形成すること。或いは、容器本体１１の底壁１２の壁面に多数の孔を貫設することによって、底壁１２をメッシュ状に形成すること。或いは、容器本体１１の短側壁１３及び長側壁１４の壁面に多数の孔を貫設することによって、短側壁１３及び長側壁１４をメッシュ状に形成すること。このように構成した場合、容器本体１１内に野菜や果物等の青果物を収容する場合には、その青果物の腐敗を効果的に抑制することができる。
【００４２】
・  ガイド突部５３を左右に分割して形成してもよい。或いは、ガイド突部５３を、例えば上記実施形態のガイド突部５３の半分の大きさに縮小してもよい。
・  ガイド突部５３を側面円弧状に膨出するように形成してもよい。
【００４３】
・  グリップカバー１５の支持部５１に嵌合突部５２を突設しないように構成し、支持部５１と容器本体１１の添着凹部２７とを溶着又は接着させることによってグリップカバー１５を容器本体１１に固着させてもよい。
【００４４】
・  グリップカバー１５の支持部５１を水平方向（ガイド突部５３の膨出面と同じ方向）に延びるように突設するとともに、その支持部５１の下端面に嵌合突部５２を垂下させること。さらに、嵌合孔２８を短側壁１３の添着凹部２７の下端部に貫設する代わりに、前記嵌合突部５２と対応する位置、すなわち、把持孔２６の下端部（短側壁１３の外側面に突設されているリブ）に上下方向に貫設すること。
【００４５】
・  指当て突条５４を省略すること。
・  グリップカバー１５の上端部を延長して形成させること。例えば、容器本体１１を把持したときに、指の先端部がグリップカバー１５の上端縁よりも低い位置に配置されるように構成すること。このように構成した場合、指の先端部表側（爪の基端部の皮膚）がグリップカバー１５の上端部と当接されないようにすることができる。
【００４６】
・  支持部５１の厚みをその上方に位置するグリップカバー１５の厚みと同じ厚みに形成させてもよい。
・  ガイド突部５３が設けられた部分（中央部から上端部）を肉厚に形成させてもよい。このように構成した場合でも、肉厚に形成されていないグリップカバー１５の中央部を中心に、グリップカバー１５を適切に弾性変形させることができる。
【００４７】
・  グリップカバー１５を折り畳みできない構成の運搬容器に設けてもよい。
・  例えば添着凹部２７を省略し、グリップカバー１５の内側面を短側壁１３の内側面よりも内側方に位置するように配設してもよい。このように構成した場合でも、収容物が把持孔２６から荷こぼれするのを防止することができるとともに、把持孔２６内に指を容易に挿入させることができる。
【００４８】
さらに、前記実施形態より把握できる技術的思想について以下に記載する。
・  前記グリップカバーは、前記ガイド部の上端部を円弧状に形成したことを特徴とする運搬容器。このように構成した場合、把持孔内に挿入される指を容易にガイドすることができる。
【００４９】
・  前記グリップカバーは、上部又は上端部に、前記ガイド部を設けたことを特徴とする運搬容器。このように構成した場合、把持孔内への指の挿入をより一層容易に行うことができる。
【００５０】
・  前記グリップカバーは、前記ガイド部の下方位置で前記側壁に固設されるように構成したことを特徴とする運搬容器。このように構成した場合、把持孔の外方から内方に向かって斜め上方に指を容易に挿入させることができる。
【００５１】
・  前記グリップカバーは、前記側壁に固設される部分を肉厚に形成したことを特徴とする運搬容器。このように構成した場合、ガイド部と側壁に固設された部分との中間位置でグリップカバーを弾性変形させることができることから、指を把持孔内に容易に挿入させることができる。
【００５２】
・  前記グリップカバーは、上端部を、前記把持孔の上端部と当接するように構成したことを特徴とする運搬容器。このように構成した場合、収容物の荷こぼれをより一層効果的に防止することができる。
【００５３】
・  前記把持孔の周囲を構成する側壁の内側面を凹設することによって添設用凹部を設け、前記グリップカバーがその添設用凹部内に添設されることを特徴とする運搬容器。
・  前記ガイド部の外側部を把持孔内に収容するように構成したことを特徴とする運搬容器。このように構成した場合、把持孔内に指を容易に挿入することができる。
【００５４】
・  前記グリップカバーは、上端部に、丸みを帯びた形状に形成された指当て突条を突設したことを特徴とする運搬容器。
・  前記グリップカバーは、弾性変形可能な合成樹脂によって構成したことを特徴とする運搬容器。
【００５５】
・  前記把持孔の内端部を、丸みを帯びた形状に形成したことを特徴とする運搬容器。このように構成した場合、把持孔をより一層把持しやすくすることができる。
・  底壁と、その底壁の周縁に沿って立設され、少なくとも対向する一対の把持孔を有する側壁とから構成される容器本体と、前記把持孔を有する側壁に配設されて前記把持孔を開閉可能にするグリップカバーとを備える運搬容器であって、前記グリップカバーは、前記把持孔の下端部又はその把持孔の下方に位置する側壁の内側部に配設され、前記把持孔の内側部を開閉可能に閉鎖するとともに、前記把持孔の外方から内方に向かって斜め上方に指の挿入をガイドするためのガイド部を設けたことを特徴とする運搬容器。
【符号の説明】
【００５６】
１１…運搬容器を構成する容器本体、１２…底壁、１３…側壁としての短側壁、１４…側壁としての長側壁、１５…運搬容器用グリップカバーとしてのグリップカバー、２６…把持孔、５３…ガイド部としてのガイド突部。
【図１】
2010070264.tif 000003
【図２】
2010070264.tif 000004
【図３】
2010070264.tif 000005
【図４】
2010070264.tif 000006
【図５】
2010070264.tif 000007
【図６】
2010070264.tif 000008